(57)【要約】【課題】片手で散水及び指洗浄を同時に行うことができると共に、一般的なシャワー装置としても使用可能なシャワーヘッドを提供すること。【解決手段】  前面に多数の散水孔を有する散水部４０の背面側に、掌を背面に接触させて支持するための支持手段を備えると共に、散水部４０の厚さが２．５ｃｍ以下であることを特徴とするシャワーヘッドである。【選択図】図２
2018187181.tif 000002
【特許請求の範囲】
【請求項１】
前面に多数の散水孔を有する散水部の背面側に、掌を背面に接触させて支持するための支持手段を備えると共に、前記散水部の厚さが２．５ｃｍ以下であることを特徴とするシャワーヘッド。
【請求項２】
散水部の幅が７ｃｍ以下であることを特徴とする請求項１記載のシャワーヘッド。
【請求項３】
支持手段が固定バンドであることを特徴とする請求項１又は２記載のシャワーヘッド。
【請求項４】
固定バンドが伸縮性を有するバンドであることを特徴とする請求項３記載のシャワーヘッド。
【請求項５】
固定バンドは、一端が、散水部の側部に取り付けられると共に、他端が、前記一端の取付位置より基端側に取り付けられていることを特徴とする請求項３又は４記載のシャワーヘッド。
【請求項６】
固定バンドは、一端が、先端に取り付けられると共に、他端が、二股に分かれて、前記一端の取付位置より基端側に取り付けられていることを特徴とする請求項３又は４記載のシャワーヘッド。
【請求項７】
支持手段が、指間で挟持する突起状支持部であることを特徴とする請求項１又は２記載のシャワーヘッド。
【請求項８】
散水部の背面に、滑止部材が設けられていることを特徴とする請求項１〜７のいずれか記載のシャワーヘッド。
【発明の詳細な説明】
【技術分野】
【０００１】
本発明は、片手で、散水及び指洗浄を行うことが可能なシャワーヘッドに関する。
【背景技術】
【０００２】
通常、シャワーで洗浄する際は、片方の手でシャワーヘッドを保持し、もう一方の手の指で擦ることでシャンプーや石鹸等の洗浄剤を洗い流すが、例えば、介護者や乳幼児を支えつつシャワーで洗浄する場合や、手を負傷し片手しか使用できない場合等、何らかの事情で片手が使用できない場合においては、この作業が困難になる。
このような状況を改善するため、片手でシャワーヘッドを保持しつつも指先を自由に使用できるよう工夫されたシャワーヘッド等が提案されている。
【０００３】
例えば、前面および後面を有する盤状の送出頭部と、該送出頭部の前記前面に設けられた複数の噴射孔と、前端部および後端部と管路とを有し、前記前端部が前記送出頭部の前記後面に位置する、作業者の指を当てるための直線パイプ部と、前面および後面と管路とを有し、前記前面が前記直線パイプ部の後端部に位置する支持用のつば部と、前端部および後端部と管路とを有し、前端部が前記つば部の後面に位置する曲線パイプ部とを備え、前記直線パイプ部の管路と、前記つば部の管路と、前記曲線パイプ部の管路と、前記複数の噴射孔が互いに連通するように構成されたシャワーヘッドが提案されている（特許文献１参照）。
【０００４】
さらに、外部から供給される湯水をシャワー状に吐水する吐水手段と、該吐水手段を手のひらに装着する装着手段と、を備えることを特徴とする洗浄器具が提案されている（特許文献２参照）。
【０００５】
また、吐水ホースに基端部を連通連結して吐水可能に構成したシャワーヘッド本体であって、前記シャワーヘッド本体の表側に、外部に突出するブラシ歯を持つブラシ部が配置され、前記シャワーヘッド本体内部に前記吐水ホースと連通し開口した吐水口をブラシ部ほぼ中央に設けたことを特徴とするペット用シャワーヘッドが提案されている（特許文献３参照）。
【０００６】
しかしながら、これらのシャワーヘッド等は、片手で使用できるものの、浴室等で使用する一般的なシャワー装置として使用できるものではなく、実用性に乏しい。
【先行技術文献】
【特許文献】
【０００７】
【特許文献１】特開２００４−１６９７４号公報
【特許文献２】特開２００７−７５５０３号公報
【特許文献３】特開２００６−２４６７８８号公報
【発明の概要】
【発明が解決しようとする課題】
【０００８】
本発明の課題は、片手で散水及び指洗浄を同時に行うことができると共に、一般的なシャワー装置としても使用可能なシャワーヘッドを提供することにある。
【課題を解決するための手段】
【０００９】
本発明者は、上記のような課題を解決すべく鋭意研究した結果、シャワーヘッドの散水部の厚さを薄くすると共に、散水部の背面に掌を接触させて支持するための支持手段を設けることにより、散水部からの散水と指による洗浄を同時に行うことができ、一般的なシャワー装置としても使用することができることを見いだし、本発明を完成するに至った。
【００１０】
すなわち、本発明は、以下の通りのものである。
［１］前面に多数の散水孔を有する散水部の背面側に、掌を背面に接触させて支持するための支持手段を備えると共に、前記散水部の厚さが２．５ｃｍ以下であることを特徴とするシャワーヘッド。
［２］散水部の幅が７ｃｍ以下であることを特徴とする［１］記載のシャワーヘッド。
［３］支持手段が固定バンドであることを特徴とする［１］又は［２］記載のシャワーヘッド。
［４］固定バンドが伸縮性を有するバンドであることを特徴とする［３］記載のシャワーヘッド。
［５］固定バンドは、一端が、散水部の側部に取り付けられると共に、他端が、前記一端の取付位置より基端側に取り付けられていることを特徴とする［３］又は［４］記載のシャワーヘッド。
［６］固定バンドは、一端が、先端に取り付けられると共に、他端が、二股に分かれて、前記一端の取付位置より基端側に取り付けられていることを特徴とする［３］又は［４］記載のシャワーヘッド。
［７］支持手段が、指間で挟持する突起状支持部であることを特徴とする［１］又は［２］記載のシャワーヘッド。
［８］散水部の背面に、滑止部材が設けられていることを特徴とする［１］〜［７］のいずれか記載のシャワーヘッド。
【発明の効果】
【００１１】
本発明のシャワーヘッドによれば、片手で散水と同時に指での洗浄を行うことができ、例えば、片手で介護者や幼児などを支える場合や片手を負傷した場合に、もう一方の手でシャワーヘッドを保持しながら指先にて洗浄することができる。また、このような使い方をしない場合には、一般的なシャワー装置として使用することができる。
【図面の簡単な説明】
【００１２】
【図１】本発明の第１の実施形態に係るシャワーヘッドの概略斜視図である。
【図２】本発明の第１の実施形態に係るシャワーヘッドの概略斜視図である。
【図３】本発明の第１の実施形態に係るシャワーヘッドの概略側面図及び正面図である。
【図４】本発明の第１の実施形態に係るシャワーヘッド使用時の説明図である。
【図５】本発明の第２の実施形態に係るシャワーヘッド使用時の説明図である。
【図６】本発明の第３の実施形態に係るシャワーヘッドの概略背面図である。
【図７】本発明の第４の実施形態に係るシャワーヘッドの概略斜視図である。
【発明を実施するための形態】
【００１３】
本発明のシャワーヘッドは、前面に多数の散水孔を有する散水部の背面側に、掌を背面接触させて支持するための支持手段を備えると共に、前記散水部の厚さが２．５ｃｍ以下であることを特徴とする。
【００１４】
本発明のシャワーヘッドとしては、散水部、把持部及びシャワーホース連結部を有する、浴室の一般的なシャワー装置に用いられるシャワーヘッドと同様の構成のものを挙げることができる。
【００１５】
本発明の散水部は、厚さが薄く構成されており、上記のように、厚さが２．５ｃｍ以下である。厚さが２．５ｃｍ以下であると、掌を散水部の背面に接触させて固定した際、指が洗浄対象物に行き届き、指を自在に動かして、十分な洗浄（洗浄剤の洗い流し）を行うことが可能となる。かかる散水部の厚さは、指による十分な洗浄がより容易となる点から、２．０ｃｍ以下であることが好ましく、１．５ｃｍ以下であることがより好ましく、１．２ｃｍ以下であることがさらに好ましい。なお、本発明における散水部の厚さとは、多数の散水孔が形成された散水孔形成部の中心における厚さをいい、例えば、突起部等が設けられている場合は突起部等を含まず、掌を接触させる散水部の背面として把握される面を延長させた想定面までの厚さをいう（図３（ａ）参照）。
【００１６】
また、散水部の側端面の側端部厚さが、１．５ｃｍ以下であることが好ましく、１．０ｃｍ以下であることが好ましい。これにより、指が洗浄対象物により容易に行き届き、指による十分な洗浄がさらに容易となる。
【００１７】
また、散水部は、幅が狭く構成されていることが好ましい。例えば、散水部の幅は、７ｃｍ以下であることが好ましく、６．５ｃｍ以下であることがより好ましく、５．０〜６．０ｃｍであることがさらに好ましい。散水部の幅がこの範囲にあると、散水部が掌（指以外の部分）に収まり、指による洗浄がより容易となる。なお、本発明における散水部の幅とは、上記厚さの場合と同様、多数の散水孔が形成された散水孔形成部の中心における幅をいう（図３（ｂ）参照）。
【００１８】
本発明の支持手段としては、掌を背面に接触させて支持できるものであれば特に制限されるものではなく、例えば、固定バンドや、指間で挟持する突起状支持部を挙げることができる。
【００１９】
固定バンドとしては、紐状のバンド、帯状のバンド等を挙げることができる。かかる固定バンドは、バンドの長さを調整できるものであってもよい。これにより、手の大きさに合わせて固定具合（締付圧）を調節することができる。また、固定バンドは、伸縮性を有するものであってもよい。固定バンドが伸縮性を有することにより、掌が散水部の背面に常に押し付けられる状態となり、洗浄する際の激しい動きによるズレを軽減することができる。このような伸縮性を有する固定バンドとしては、例えば、ゴムバンドを挙げることができる。
【００２０】
固定バンドのシャワーヘッドへの取付態様としては、掌を散水部背面に接触させ固定できる態様であれば特に制限されるものではなく、例えば、固定バンドがシャワーヘッドの長さ方向に対して垂直方向に取り付けられるよう、固定バンドの両端が散水部の両側部（長さ方向に同じ位置）に取り付けられる態様を挙げることができる。これにより、右手、左手を区別することなく、両方の手に対応することができる。
【００２１】
また、例えば、固定バンドの一端が、散水部の側部に取り付けられると共に、他端が、前記一端の取付け位置より基端側に取り付けられる態様を挙げることができる。具体的には、固定バンドの一端が散水部の位置する側方の一側部に取り付けられると共に、他端が散水部又は把持部の反対側部又は反対側部を介した前面部に取り付けられ、固定バンドが斜めに取り付けられた態様を挙げることができる。このような取付態様であると、固定バンドに手を挿入し固定した際、シャワーヘッドが斜めに配置され、シャワーヘッドの把持部が邪魔にならない。具体的には、固定バンドの一端は、散水孔形成部の中心を幅方向に伸ばした中心側部より基端側に設けられることが好ましく、中心側部から基端側に１．５ｃｍ、好ましくは１．０ｃｍ以内の位置に設けられることが好ましい。他端は、一端よりも２〜４ｃｍ基端側に設けられていることが好ましい。なお、本発明における散水部の側部とは、厳密な側端部の他、近傍の前面部や背面部も含む。
【００２２】
また、固定バンドの一端が、先端に取り付けられると共に、他端が、二股に分かれて一端の取付位置より基端側に取り付けられる取付態様も好ましい。すなわち、固定バンドが、サンダルの鼻緒のように先端から二股に分かれて二つのアーチを形成して散水部又は把持部の両側部に取り付けられる態様や、二股に分かれたバンドが背面側から前面側に延びて前面部に取り付けられる態様や、二股に分かれたバンドが背面側から前面側に延びて両者が接続している態様が好ましい。このような取付態様であると、左右のどちらの手に装着しても同じように使用することができる。また、二つのアーチに指を分けて挿入し、先端の固定バンドを指間に挟み込む等により、使用時の前後のズレを軽減することができる。さらに、二つのアーチを手の適当な位置に掛けることにより、手の大小にかかわらず使用することが可能となる。なお、本発明における散水部又は把持部の両側部とは、厳密な側端部の他、近傍の前面部や背面部も含む。また、シャワーヘッドの先端とは、幅方向中心線上の厳密な先端部の他、その近傍も含む。
【００２３】
また、支持手段が指間で挟持する突起状支持部である場合、かかる突起状支持部としては、散水部の背面から垂直に立設されたものや、散水部の背面から基端側に反るように突出しているものを挙げることができる。突起状支持部が設けられることにより、使用時に、突起状支持部を指間に挟み込み、散水部の背面に掌を接触させて洗浄することができる。
【００２４】
かかる突起状支持部の先端には、突起状支持部本体より大きな留め部が設けられていることが好ましい。これにより、使用時に、前記先端と散水部との間に手が挟まれた状態となり、手の上下の動きを抑制して支持することができる。また、突起状支持部の側部に、指の形状に沿った凹状の窪みを備えていることが好ましい。この突起状支持部の窪みに指間を挟み込むことにより、より安定して支持することができる。なお、突起状支持部は、通常は、散水部と一体として形成されたものであるが、別体であってもよい。
【００２５】
また、本発明の支持手段は、複数の支持手段を組み合わせてもよく、例えば、上記固定バンド及び突起状支持部の組合せを挙げることができる。これにより、散水部の背面への掌の支持がより強固となり、洗浄する際の激しい動きによるズレをより軽減することができる。
【００２６】
また、本発明のシャワーヘッドには、散水部の背面に滑止部材が設けられていることが好ましい。これにより、固定バンドによる支持と相まって掌を散水部に密着させ、洗浄する際の激しい動きによるズレを軽減することができる。滑止部材としては、例えば、凹凸が形成された滑止部材が挙げられ、その材質としては、ポリウレタン、ＥＶＡ樹脂等を挙げることができる。
【００２７】
以下、図面を用いて本発明の実施形態を具体的に説明するが、本発明はこれらの実施形態に制限されるものではない。ここで、図１及び図２は、本発明の第１の実施形態に係るシャワーヘッドの概略斜視図である。図３は、本発明の第１の実施形態に係るシャワーヘッドの概略側面図及び正面図である。図４は、本発明の第１の実施形態に係るシャワーヘッド使用時の説明図である。図５は、本発明の第２の実施形態に係るシャワーヘッド使用時の説明図である。図６は、本発明の第３の実施形態に係るシャワーヘッドの概略背面図である。図７は、本発明の第４の実施形態に係るシャワーヘッドの概略斜視図である。
【００２８】
図１に示すように、本発明の実施形態に係るシャワーヘッド１０は、支持手段として固定バンド２０を備えている。
【００２９】
図１及び図２に示すように、シャワーヘッド１０は、長尺で、中央部に把持部３２を備え、その先端側に散水部４０を備え、基端側に円筒状のシャワーホース連結部３０を備えている。シャワーホース連結部３０は、ねじ山が形成されており、一般的なシャワー装置のシャワーホースと接続可能である。
【００３０】
散水部４０は、シャワーヘッド１０の先部に位置し、全体として平板状に形成されており、前面に多数の散水孔４２を有する散水板（散水孔形成部）４４を具備している。この散水部４０は、厚さが約１．５ｃｍ、幅が約５．５ｃｍとなっている（図３参照）。また、側端部の厚さが約８ｍｍとなっている。
【００３１】
図１及び図２に示すように、固定バンド２０は、プラスチック製の帯状バンドであって、散水部４０の背面側に手が挿入可能かつ掌が密着する長さで、アーチを形成するように取り付けられている。固定バンド２０の左端部２０Ｌは、散水部４０（散水板４４）の中心側部から基端側に１．０ｃｍの箇所に取り付けられ、他端の右端部２０Ｒは、左端部２０Ｌよりも３．５ｃｍ基端側に取り付けられている。
【００３２】
図４に示すように、シャワーヘッド１０を使用する際には、右手の親指を除く四指を固定バンド２０が形成するアーチに挿入し、掌をシャワーヘッド背面に接触させた状態でシャワーヘッドを把持する。洗浄時には、シャワーホース１０の散水孔４２から散水すると共に、指を散水部４０の前方に折り曲げて、洗浄対象を指先で洗浄する。このように、片手にシャワーヘッド１０を固定し指先を自在に動かすことができることから、片手での十分な洗浄可能となる。したがって、もう一方の手で幼児等を支えながら、十分な洗浄を容易に行うことが可能となる。
【００３３】
図５に示すように、本発明の第２の実施形態に係るシャワーヘッド１２は、支持手段として固定バンド２２を備える。固定バンド２２は、一端２２Ｆが、散水部４０の先端に取り付けられ、他端が二股に分かれて、片方２２Ｌはシャワーヘッド１２の左側部に取り付けられ、もう一方２２Ｒは反対側の右側部に取り付けられている。使用時には、例えば、固定バンド２２が形成する二つのアーチに、右手親指と、その他四指とに分けて挿入し、指を散水部４０の前方に折り曲げて使用する。
なお、固定バンド２２の一端２２Ｆが散水部４０の先端の中央に取り付けられていてもよい。また、人差し指と中指の間に固定バンド２２の一端２２Ｆが位置するように装着して使用することもできる。
【００３４】
図６に示すように、本発明の第３の実施形態に係るシャワーヘッド１４は、散水部４０の背面に、凹凸形成されたポリウレタン製の滑止部材５０が設けられている。このように、滑止部材５０が掌が接触する箇所に設けられることによって、洗浄時に生じる掌のズレを軽減することができる。また、本実施形態の固定バンド２４は、ゴムバンドである。ゴムバンドは、伸縮性を有することから、大小の手の大きさに対応することができ、また、使用時にも適度な締付力を発揮し、洗浄時に生じる掌のズレをより確実に軽減することができる。
【００３５】
図７に示すように、本発明の第４の実施形態に係るシャワーヘッド１６は、支持手段として突起状支持部６０を備える。突起状支持部６０は、散水部４０の背面から基端側に反った状態で突出しており、その先端に、円盤状の留め部６１を有している。使用時には、例えば、突起状支持部材６０を人差し指と中指とで挟み込み、指を散水部４０の前方に折り曲げて使用する。
【産業上の利用可能性】
【００３６】
本発明のシャワーヘッドは、通常のシャワー装置に装着して用いることができるものであり、産業上有用である。
【符号の説明】
【００３７】
１０    シャワーヘッド
１２    シャワーヘッド
１４    シャワーヘッド
１６    シャワーヘッド
２０    固定バンド
２０Ｌ  左端部
２０Ｒ  右端部
２２    固定バンド
２４    固定バンド
３０    シャワーホース連結部
３２    把持部
４０    散水部
４２    散水孔
４４    散水板
５０    滑止部材
６０    突起状支持部
６１    留め部
【図１】
2018187181.tif 000003
【図２】
2018187181.tif 000004
【図３】
2018187181.tif 000005
【図４】
2018187181.tif 000006
【図５】
2018187181.tif 000007
【図６】
2018187181.tif 000008
【図７】
2018187181.tif 000009